(57)【特許請求の範囲】
【請求項１】
接点部を有する端子等の活電部が樹脂製ケースにインサート成形固定された本体部と、上記本体部に回転操作可能に装着され、その回転操作により、上記活電部で発生する電気信号の切替えを行う操作ツマミとを備えた操作型電子部品であって、上記操作ツマミの外周の一部が突出状態でセットに搭載されると共に、その突出部分が回転操作部分としてなり、この操作ツマミの上記セットから突出している突出部分の外周部と上記活電部との間の上記樹脂製ケースの位置に、上記活電部とする部位と同じ金属板内に一体形成され、その活電部とする部位に連結された部分が切断分離されて構成されたアース用導電体を配した操作型電子部品。
【請求項２】
活電部用の端子とアース用導電体の端子が同一方向に略同一の長さで樹脂製ケースから突出するように引出し形成された請求項１記載の操作型電子部品。
【発明の詳細な説明】
【０００１】
【産業上の利用分野】
本発明は、各種電気・電子機器に使用されるエンコーダや可変抵抗器等の操作型電子部品に関するものである。
【０００２】
【従来の技術】
近年、各種電気・電子機器の小型化並びに低価格化が進む中において、使用される操作型電子部品も同様に小型・高機能でありかつ安価な製品を要求され、その要求に対応するため、電子部品の構成を自動組立しやすくすることが必要となってきており、特にインサート成形技術を利用して、フープ状の金属板で連結して形成された接点部や端子部等の活電部を成形樹脂製のケースに連続的にインサート成形して自動組立機に供給することが通例化してきている。
【０００３】
以下に従来の操作型電子部品の一例として回転操作型電子部品を例に、この接点部および端子部等の活電部をインサート成形したケースの製作方法、ならびにこの回転操作型電子部品をセットに取り付けた状態について、図４〜図６により説明する。
【０００４】
図４は、フープ状の金属板に連結して形成された活電部の導電体、およびこれを成形樹脂製ケースに連続してインサート成形した後のフープ状態の平面図、図５は完成状態の単品ケースの斜視図、図６はセットに取り付けられた回転操作型電子部品の側面図である。
【０００５】
図４および図５において、１は桟部１Ａを有するフープ状の導電金属板、２は前記金属板１に連続的に打ち抜き形成され各々連結部１Ｂにて桟部１Ａに連結している平板状の活電部、３はこの活電部２をインサート成形した成形樹脂製のケースである。
【０００６】
このように構成されたケース３は、次工程において、活電部２の接続部２Ａを切断後フォーミングすることにより接点部２Ｂを形成し、その後、桟部１Ａとの連結部１Ｂを切断箇所１Ｃにて切断すると共に出力端子部２Ｃを下方に折り曲げ形成し、図５に示すような完成状態のケース３を作製していた。
【０００７】
【発明が解決しようとする課題】
しかしながら上記従来の構成では、作製したケース３には導電金属板１の破断面４がケース３の外周面に露出し、前記ケース３を用いて組み立てた回転操作型電子部品５を、図６のように操作ツマミ６をセットの外装壁７より突出させてセットの配線基板８に取り付けた際に、前記破断面４が操作ツマミ６の近辺に有る場合、操作ツマミ６を指で操作した際に発生した静電気は破断面４に飛び回転操作型電子部品５の出力信号に影響を与え、セットの誤動作の要因となるという問題があった。従って、このような配置となるときは破断面４を別体の金属板９にて覆い、金属板９の一部を半田付け等によりセットのアース部分１０に電気的に接続してアースをとらなければならず、セットを組み立てる部品点数並びに組立工数がかかるという問題点を有していた。
【０００８】
本発明は上記従来の問題点を解決するものであり、別部品を使用せずに取り付けるだけでアースをとることができる操作型電子部品を提供することを目的とするものである。
【０００９】
【課題を解決するための手段】
この課題を解決するために本発明の操作型電子部品は、活電部である導電体とアース部である導電体を一体の金属板上に設け、両者を樹脂製ケースにインサート成形にて固定後、両者間の連結された部分を切断して電気的に分離し、活電部とセットの外装壁から突出する操作ツマミの外周部分との間にアース部を配する構成としたものである。
【００１０】
【作用】
この構成とすることにより、操作ツマミのセットの外装壁から突出した外周部に発生した静電気は、その操作ツマミの外周部に最も近い導電物であるアース部に常に飛ぶこととなり、操作型電子部品のみにてアースを取ることができる。
【００１１】
【実施例】
以下、本発明の一実施例について回転操作型電子部品を例にして図１〜図３により説明する。
【００１２】
なお、本実施例において、前述の従来例で説明した構成部分と同じ部分については、同一の符号を付して説明を省略する。
【００１３】
図１はフープ状の金属板に連結して形成された活電部並びにアース部の導電体、およびこれを成形樹脂製のケースに連続してインサート成形した後のフープ状態の平面図、図２は完成状態の単品ケースの斜視図、図３はセットに取り付けられた回転操作型電子部品の側面図である。
【００１４】
図１および図２において、２１は従来例と同様に活電部２を形成すると共に連結部２１Ａにて桟部２１Ｂと活電部２に連結したアース部２２を連続的に一体に打ち抜き形成されたフープ状の導電金属板であり、２３は活電部２並びにアース部２２をインサート成形した樹脂製のケースである。
【００１５】
このように構成されたケース２３は、次工程にて従来例と同様にして活電部２の接点部２Ｂおよび端子部２Ｃを形成すると共に、アース部２２の連結部２１Ａを切断箇所２１Ｃにて切断し、アース部２２の避雷針部２２Ａとなる平板を上方に、またアース端子２２Ｂとなる平板を下方に折り曲げ形成し、図２に示すような完成状態のケース２３を作製するものである。
【００１６】
そして、上記ケース２３を用いて組み立てた回転操作型電子部品２４を、図３の如く、アース端子２２Ｂをセットの配線基板２５のアース配線部分２５Ａに電気的に接続し、かつ、アース部２２をセットの外周面に最も近くなるように実装すれば、アース部２２の避雷針部２２Ａが操作ツマミ６に最も近い距離の導電物となるため、静電気は常に避雷針部２２Ａに飛び、アース端子２２Ｂを介しアース配線部分２５Ａに落ちるため、従来必要であった金属板９がなくてもアースを確実に取ることができるようになる。
【００１７】
尚、上記の実施例を説明する図２および図３では、アース部２２の避雷針部２２Ａとなる平板を中央上方に、アース端子２２Ｂとなる平板を左右の下方に折り曲げ形成する場合を示したが、これは、避雷針部２２Ａとなる平板を左右の上方に、アース端子２２Ｂとなる平板を中央下方に配してもよいことは勿論である。
【００１８】
また、本構成においてアース部２２は、操作型電子部品２４に内蔵され、かつ出力端子２Ｃと、アース端子２２Ｂを同一方向に略同寸法で突出するように引出し形成することにより、配置位置精度が良いため自動実装接続も可能であり、セットの組立工数を更に削減できるという効果も得られる。
【００１９】
【発明の効果】
本発明は、上記実施例より明らかなように、活電部である導電体とアース部である導電体を一体の金属板上に設け、両者を樹脂製ケースにインサート成形にて固定後、両者間の連結された部分を切断して電気的に分離し、活電部とセットの外装壁から突出する操作ツマミの外周部分との間にアース部を配する構成としたため、操作型電子部品を実装するだけでアースがとれ、かつ、活電部用の端子とアース用の端子を配線基板に同時に半田付接続できる構造のため、セットの自動実装にも対応でき、セット組立の部品点数並びに組立工数を大幅に削減できるものである。
【図面の簡単な説明】
【図１】本発明のフープ状の金属板に連結して形成された活電部並びにアース部の導電体およびこれを成形樹脂製のケースに連続してインサート成形した後のフープ状態の平面図
【図２】同完成状態の単品ケースの斜視図
【図３】同セットに取り付けられた回転操作型電子部品の側面図
【図４】従来のフープ状の金属板に連結して形成された活電部の導電体およびこれを成形樹脂製のケースに連続してインサート成形した後のフープ状態の平面図
【図５】同完成状態の単品ケースの斜視図
【図６】同セットに取り付けられた回転操作型電子部品の側面図
【符号の説明】
２  活電部
２Ｂ  接点部
２Ｃ  出力端子部
６  操作ツマミ
７  セットの外装壁
２１  フープ状の導電金属板
２１Ａ  連結部
２１Ｂ  桟部
２１Ｃ  切断箇所
２２  アース部
２２Ａ  避雷針部
２２Ｂ  アース端子部
２３  ケース
２４  回転操作型電子部品
２５  セットの配線基板
２５Ａ  アース配線部分
【図１】
0003617134.tif 000002
【図２】
0003617134.tif 000003
【図３】
0003617134.tif 000004
【図４】
0003617134.tif 000005
【図５】
0003617134.tif 000006
【図６】
0003617134.tif 000007